(57)【要約】      （修正有）【課題】居住者の高さを実時間で感知して居住者の落傷及び起立の行為を感知することができ、居住者の高さを実時間で感知して居住者がベッドを離脱するかを感知することができる落傷及び起立感知装置を提供する。【解決手段】第１高さに配置され、居住者１０の動きを感知する第１センサー部１００と、第１高さより高い位置の第２高さに配置され、居住者１０の動きを感知する第２センサー部２００と、第１センサー部１００及び第２センサー部２００によって測定された居住者１０との距離に基づいて居住者１０の落傷行為及び起立行為を感知する制御部３００と、を含む。制御部は、３次元直交座標系を基準に第１センサー部１００が配置される座標と第２センサー部２００が配置される座標において２個の座標軸を一致させる。【選択図】図４
2020194537.tif 000002
【特許請求の範囲】
【請求項１】
第１高さに配置され、居住者の動きを感知する第１センサー部と、
前記第１高さより高い位置の第２高さに配置され、前記居住者の動きを感知する第２センサー部と、
前記第１センサー部及び前記第２センサー部によって測定された前記居住者との距離に基づいて前記居住者の落傷行為及び起立行為を感知する制御部とを含み、
前記制御部は、３次元直交座標系を基準に前記第１センサー部が配置される座標と前記第２センサー部が配置される座標において２個の座標軸を一致させる、
落傷及び起立感知装置。
【請求項２】
前記制御部は、前記第１センサー部及び前記第２センサー部が感知した前記居住者との距離に基づいて前記居住者の高さを計算し、前記居住者の高さによって前記居住者の落傷行為及び起立行為を判断する、
請求項１に記載の落傷及び起立感知装置。
【請求項３】
前記第１センサー部及び前記第２センサー部のそれぞれは前記居住者までの最短距離を測定し、
前記制御部は、前記最短距離、前記第１センサー部の座標、及び前記第２センサー部の座標に基づいて前記居住者の高さを計算する、
請求項２に記載の落傷及び起立感知装置。
【請求項４】
前記居住者の落傷行為を感知した後、一定時間内に前記居住者の起立行為が感知されない場合、前記制御部は前記居住者が危険状態にあると判断する、
請求項１に記載の落傷及び起立感知装置。
【請求項５】
前記第１センサー部及び前記第２センサー部は前記居住者の特定位置で前記居住者の生体信号を感知し、
前記特定位置は前記第１センサー部又は前記第２センサー部から前記居住者までの最短距離が導出される位置を意味する、
請求項４に記載の落傷及び起立感知装置。
【請求項６】
前記第１センサー部及び前記第２センサー部が感知した前記居住者の特定位置が互いに異なる場合、前記制御部は前記第１センサー部が感知した第１特定位置と前記第２センサー部が感知した第２特定位置が互いに同一であると仮定して前記居住者の高さを計算する、
請求項１に記載の落傷及び起立感知装置。
【請求項７】
前記第１センサー部又は前記第２センサー部が感知した前記居住者の特定位置で生体信号が感知されない場合、前記制御部は前記第１センサー部又は前記第２センサー部が感知する前記居住者の特定位置を変更するように前記第１センサー部又は前記第２センサー部を制御する、
請求項１に記載の落傷及び起立感知装置。
【請求項８】
変更された特定位置で生体信号が感知される場合、前記制御部は前記変更された特定位置を基準に前記居住者の高さを計算して前記居住者の落傷行為及び起立行為を判断する、
請求項７に記載の落傷及び起立感知装置。
【請求項９】
前記居住者が居住する場所にベッドが配置される場合、前記制御部は前記第１センサー部及び前記第２センサー部が配置された軸から前記ベッドが離隔した離隔距離及び前記ベッドの高さについての情報を予め保存する、
請求項１に記載の落傷及び起立感知装置。
【請求項１０】
前記制御部は前記離隔距離についての情報に基づいて前記離隔距離から一定範囲内で発生する前記居住者の動きの変化は落傷行為と判断しない、
請求項９に記載の落傷及び起立感知装置。
【請求項１１】
前記第１センサー部及び前記第２センサー部が感知した前記居住者の位置が前記ベッドの高さと誤差範囲内の場合、前記制御部は前記居住者が前記ベッドに位置すると判断して前記居住者が危険状態ではないと判断する、
請求項９に記載の落傷及び起立感知装置。
【請求項１２】
前記制御部は前記ベッドの高さに基づいて前記居住者の起立高を設定し、
前記制御部は、前記居住者の位置が前記起立高より高い場合、前記居住者が起立したと判断する、
請求項９に記載の落傷及び起立感知装置。
【請求項１３】
前記制御部は前記ベッドの高さ及び前記離隔距離を用いて前記居住者の位置が前記ベッドを基準に誤差範囲以上に外れるかを判断する、
請求項９に記載の落傷及び起立感知装置。
【請求項１４】
前記居住者の位置情報を外部に知らせる通信部をさらに含み、
前記居住者の位置が前記ベッドを基準に誤差範囲以上に外れる場合、前記通信部は前記居住者が前記ベッドを離脱したことを知らせる信号を出力する、
請求項１３に記載の落傷及び起立感知装置。
【請求項１５】
前記第１センサー部は前記居住者が位置するベッド上に配置され、
前記第１センサー部は前記居住者が前記ベッドを離脱するかを判断するための感知領域を有し、
前記制御部は、前記居住者が前記感知領域内に存在する場合、前記居住者は危険状態にいないと判断する、
請求項１に記載の落傷及び起立感知装置。
【請求項１６】
人の動きについての行動パターン情報を保存するデータベース部をさらに含み、
前記制御部は前記第１センサー部及び前記第２センサー部が測定した前記居住者の動きに対するパターンを前記データベース部に保存された前記行動パターン情報と比較して前記居住者の状態を判断する、
請求項１に記載の落傷及び起立感知装置。
【請求項１７】
第１高さに配置され、居住者の動きを感知する第１センサー部と、
前記第１高さより高い位置の第２高さに配置され、前記居住者の動きを感知する第２センサー部と、
前記第１センサー部及び前記第２センサー部によって測定された前記居住者との距離に基づいて前記居住者の落傷行為及び起立行為を感知する制御部とを含み、
前記第１センサー部及び前記第２センサー部は前記居住者が居住する場所の床を基準に垂直方向に重畳するように配置される、
落傷及び起立感知装置。
【請求項１８】
前記制御部は前記第１センサー部から前記第２センサー部に向かう方向を一軸とする直交座標系を設定し、
前記制御部は前記一軸上の座標以外の他の座標は同一であるように前記第１センサー部及び前記第２センサー部の座標を設定する、
請求項１７に記載の落傷及び起立感知装置。
【請求項１９】
前記第１センサー部及び前記第２センサー部のそれぞれは前記居住者までの最短距離を測定し、
前記制御部は、前記最短距離、及び前記第１センサー部と前記第２センサー部との間の距離に基づいて前記居住者の高さを計算して前記居住者の落傷行為及び起立行為を感知する、
請求項１８に記載の落傷及び起立感知装置。
【請求項２０】
前記制御部は、前記最短距離、前記第１センサー部の座標、前記第２センサー部の座標及び前記居住者の高さに基づいて前記居住者と前記一軸との間の距離を計算する、
請求項１８に記載の落傷及び起立感知装置。
【発明の詳細な説明】
【技術分野】
【０００１】
本発明は居住者の動きを感知して居住者の落傷行為を判断する落傷及び起立感知装置に関する。
【背景技術】
【０００２】
健康管理（ｈｅａｌｔｈｃａｒｅ）に関する関心が高くなるにつれて、お年寄りや挙動の不便な障害者が安心して日常生活を営むことができるように手伝うサービスに対する関心が高まっている。家に一人で居住するお年寄りや障害者は常時保護者と一緒にいにくい実情なので、お年寄りや障害者が急に倒れる場合、これを感知するためのサービスに対する研究が進んでいる。人が急に倒れることによる落傷は人の意思に反して人が地面に垂直な状態で地面に平行な状態に落ちるか倒れてけがをする現象を言う。落傷は身体的機能が低下するお年寄りや障害者にもっと致命的な現象であり得る。
【０００３】
既存の落傷を感知する技術は居住者の身にセンサーを付着する形態であったが、これは、居住者の動きによってセンサーが誤認識する場合が頻繁であり、センサーをいつも身に付着しなければならない不便があった。また、センサーを付着する過程又はセンサーのバッテリーが放電した場合などの多様な場合に居住者の落傷を感知することができない問題点が発生した。
【発明の概要】
【発明が解決しようとする課題】
【０００４】
本発明の技術的課題は、居住者の高さを実時間で感知して居住者の落傷及び起立の行為を感知することができる落傷及び起立感知装置を提供することである。
【０００５】
本発明の他の技術的課題は、居住者の高さを実時間で感知して居住者がベッドを離脱するかを感知することができる落傷及び起立感知装置を提供することである。
【課題を解決するための手段】
【０００６】
本発明の実施例による落傷及び起立感知装置を提供する。落傷及び起立感知装置は、第１高さに配置され、居住者の動きを感知する第１センサー部と、前記第１高さより高い位置の第２高さに配置され、前記居住者の動きを感知する第２センサー部と、前記第１センサー部及び前記第２センサー部によって測定された前記居住者との距離に基づいて前記居住者の落傷行為及び起立行為を感知する制御部とを含み、前記制御部は、３次元直交座標系を基準に前記第１センサー部が配置される座標と前記第２センサー部が配置される座標において２個の座標軸を一致させる。
一例によれば、前記制御部は、前記第１センサー部及び前記第２センサー部が感知した前記居住者との距離に基づいて前記居住者の高さを計算し、前記居住者の高さによって前記居住者の落傷行為及び起立行為を判断することができる。
一例によれば、前記第１センサー部及び前記第２センサー部のそれぞれは前記居住者までの最短距離を測定し、前記制御部は、前記最短距離、前記第１センサー部の座標、及び前記第２センサー部の座標に基づいて前記居住者の高さを計算することができる。
一例によれば、前記居住者の落傷行為を感知した後、一定時間内に前記居住者の起立行為が感知されない場合、前記制御部は前記居住者が危険状態にあると判断することができる。
一例によれば、前記第１センサー部及び前記第２センサー部は前記居住者の特定位置で前記居住者の生体信号を感知し、前記特定位置は前記第１センサー部又は前記第２センサー部から前記居住者までの最短距離が導出される位置を意味することができる。
一例によれば、前記第１センサー部及び前記第２センサー部が感知した前記居住者の特定位置が互いに異なる場合、前記制御部は前記第１センサー部が感知した第１特定位置と前記第２センサー部が感知した第２特定位置が互いに同一であると仮定して前記居住者の高さを計算することができる。
一例によれば、前記第１センサー部又は前記第２センサー部が感知した前記居住者の特定位置で生体信号が感知されない場合、前記制御部は前記第１センサー部又は前記第２センサー部が感知する前記居住者の特定位置を変更するように前記第１センサー部又は前記第２センサー部を制御することができる。
一例によれば、変更された特定位置で生体信号が感知される場合、前記制御部は前記変更された特定位置を基準に前記居住者の高さを計算して前記居住者の落傷行為及び起立行為を判断することができる。
一例によれば、前記居住者が居住する場所にベッドが配置される場合、前記制御部は前記第１センサー部及び前記第２センサー部が配置された軸から前記ベッドが離隔した離隔距離及び前記ベッドの高さについての情報を予め保存することができる。
一例によれば、前記制御部は前記離隔距離についての情報に基づいて前記離隔距離から一定範囲内で発生する前記居住者の動きの変化は落傷行為と判断しないことができる。
一例によれば、前記第１センサー部及び前記第２センサー部が感知した前記居住者の位置が前記ベッドの高さと誤差範囲内の場合、前記制御部は前記居住者が前記ベッドに位置すると判断して前記居住者が危険状態ではないと判断することができる。
一例によれば、前記制御部は前記ベッドの高さに基づいて前記居住者の起立高を設定し、前記制御部は、前記居住者の位置が前記起立高より高い場合、前記居住者が起立したと判断することができる。
一例によれば、前記制御部は前記ベッドの高さ及び前記離隔距離を用いて前記居住者の位置が前記ベッドを基準に誤差範囲以上に外れるかを判断することができる。
一例によれば、前記居住者の位置情報を外部に知らせる通信部をさらに含むことができ、前記居住者の位置が前記ベッドを基準に誤差範囲以上に外れる場合、前記通信部は前記居住者が前記ベッドを離脱したことを知らせる信号を出力することができる。
一例によれば、前記第１センサー部は前記居住者が位置するベッド上に配置され、前記第１センサー部は前記居住者が前記ベッドを離脱するかを判断するための感知領域を有し、前記制御部は、前記居住者が前記感知領域内に存在する場合、前記居住者は危険状態にいないと判断することができる。
一例によれば、人の動きについての行動パターン情報を保存するデータベース部をさらに含むことができ、前記制御部は前記第１センサー部及び前記第２センサー部が測定した前記居住者の動きに対するパターンを前記データベース部に保存された前記行動パターン情報と比較して前記居住者の状態を判断することができる。
本発明の実施例による落傷及び起立感知装置を提供する。落傷及び起立感知装置は、第１高さに配置され、居住者の動きを感知する第１センサー部と、前記第１高さより高い位置の第２高さに配置され、前記居住者の動きを感知する第２センサー部と、前記第１センサー部及び前記第２センサー部によって測定された前記居住者との距離に基づいて前記居住者の落傷行為及び起立行為を感知する制御部とを含み、前記第１センサー部及び前記第２センサー部は前記居住者が居住する場所の床を基準に垂直方向に重畳するように配置される。
一例によれば、前記制御部は前記第１センサー部から前記第２センサー部に向かう方向を一軸とする直交座標系を設定し、前記制御部は前記一軸上の座標以外の他の座標は同一であるように前記第１センサー部及び前記第２センサー部の座標を設定することができる。
一例によれば、前記第１センサー部及び前記第２センサー部のそれぞれは前記居住者までの最短距離を測定し、前記制御部は、前記最短距離、及び前記第１センサー部と前記第２センサー部との間の距離に基づいて前記居住者の高さを計算して前記居住者の落傷行為及び起立行為を感知することができる。
一例によれば、前記制御部は、前記最短距離、前記第１センサー部の座標、前記第２センサー部の座標及び前記居住者の高さに基づいて前記居住者と前記一軸との間の距離を計算することができる。
【発明の効果】
【０００７】
本発明の実施例によれば、落傷及び起立感知装置は、居住者の落傷行為及び起立行為を感知して居住者の落傷行為を判断することにおいて信頼性を高めることができる。落傷及び起立感知装置は、居住者の落傷行為の後、一定時間の間に居住者が起立するかによって居住者の落傷行為を判断して、居住者の健康に異常が発生して落傷したかをより正確に判断することができる。
【０００８】
本発明の実施例によれば、落傷及び起立感知装置は、第１センサー部と第２センサー部の３軸座標の中で２軸の座標が一致するように設定するので、第１センサー部と第２センサー部から居住者までの最短距離についての情報と第１センサー部と第２センサー部との間の距離についての情報のみで居住者の落傷及び起立の行為を感知することができる。
【０００９】
本発明の実施例によれば、落傷及び起立感知装置は、居住者が落傷したと判断した場合、警告メッセージを自動で出力するので、警告メッセージを受信した人は健康に異常が発生した居住者で２次的に発生し得る事故に備えることができる。
【００１０】
本発明の実施例によれば、落傷及び起立感知装置は、居住者の高さ変化を判断するために特定位置を感知することができ、居住者の落傷後に生体信号を感知するために、既存の特定位置から新しい特定位置にセンサー部の感知領域を変更させることができる。これにより、居住者の高さ変化を感知しながら居住者の生体信号を感知することにおいて信頼性を高めることができる。
【図面の簡単な説明】
【００１１】
【図１】本発明の実施例による落傷及び起立感知装置が提供される位置を説明するための図である。
【図２】本発明の実施例による落傷及び起立感知装置を示す図である。
【図３】図２のデータベース部を示すブロック図である。
【図４】本発明の実施例による第１センサー部及び第２センサー部が直交座標系を基準に配置される位置を説明する図である。
【図５】(ａ)、(ｂ)：本発明の実施例による落傷及び起立感知装置が居住者の落傷及び起立を感知することを示す図である。
【図６】本発明の実施例によって居住者の特定位置で生体信号を感知することを示す図である。
【図７】本発明の実施例によって居住者がベッドを離脱するかを感知することを示す図である。
【図８】本発明の実施例によって居住者がベッドに横になっているかを感知することを示す図である。
【発明を実施するための形態】
【００１２】
本発明の利点及び特徴、そしてそれらを達成する方法は添付図面に基づいて詳細に後述する実施例を参照すると明らかに理解可能であろう。しかし、本発明は以下で開示する実施例に限定されるものではなくて互いに異なる多様な形態に具現可能である。ただ、この実施例は本発明の開示を完全にするとともに本発明が属する技術分野で通常の知識を有する者に本発明の範疇を完全に知らせるために提供するものであり、本発明は請求項の範疇によって定義されるだけである。明細書全般にわたって同じ参照符号は同じ構成要素を指称する。
【００１３】
明細書に記載する“・・・部”、“・・・ユニット”、“・・・モジュール”などの用語は少なくとも一つの機能又は動作を処理する単位を意味し、これはハードウェア、ソフトウェア又はハードウェア及びソフトウェアの組合せで具現することができる。
【００１４】
また、本明細書で、構成の名称を第１、第２などに区分したことはその構成の名称が同一であるもの同士区分するためのものであり、下記の説明で必ずしもその順に本発明が限定されるものではない。
【００１５】
詳細な説明は本発明を例示するものである。また、前述した内容は本発明の好適な実施形態を示して説明するものであり、本発明は多様な他の組合せ、変更及び環境で使うことができる。すなわち、この明細書に開示した本発明の概念の範囲、記述した開示内容と均等な範囲及び／又は当該分野の技術又は知識の範囲内で変更又は修正が可能である。記述した実施例は本発明の技術的思想を具現するための最良の状態を説明するものであり、本発明の具体的な適用分野及び用途で要求される多様な変更も可能である。したがって、発明の詳細な説明は開示した実施状態に本発明を制限しようとする意図ではない。また、添付の特許請求の範囲は他の実施形態も含むものに解釈されなければならない。
【００１６】
図１は本発明の実施例による落傷及び起立感知装置が提供される位置を説明するための図、図２は本発明の実施例による落傷及び起立感知装置を示す図である。
【００１７】
図１及び図２を参照すると、落傷及び起立感知装置１は、第１センサー部１００、第２センサー部２００、制御部３００、データベース部４００及び通信部５００を含むことができる。落傷及び起立感知装置１は、居住者が位置する室内空間に配置されて居住者の落傷及び起立の行為を感知することができる。落傷及び起立感知装置１は、第１センサー部１００、制御部３００、データベース部４００及び通信部５００が単一モジュールに構成されることができ、第２センサー部２００、制御部３００、データベース部４００及び通信部５００が単一モジュールに構成されることができる。すなわち、制御部３００、データベース部４００及び通信部５００は第１センサー部１００又は第２センサー部２００とともにモジュール化する構成であり得る。ただ、データベース部４００は、上述した例に限定されず、別に提供されることができる。
【００１８】
第１センサー部１００は第１高さに配置されて居住者の動きを感知することができ、第２センサー部２００は第２高さに配置されて居住者の動きを感知することができる。第２高さは第１高さより高くてもよい。例えば、第１高さは１ｍであり得、第２高さは２ｍであり得る。ただ、第１高さと第２高さは特に限定されなくてもよい。第１センサー部１００及び第２センサー部２００は居住者が居住する室内の床を基準に垂直方向に配置されることができ、第１センサー部１００及び第２センサー部２００は垂直方向に互いに重畳するように配置されることができる。一例として、第１センサー部１００及び第２センサー部２００は室内空間に位置する壁に付着されることができる。他の例として、第１センサー部１００及び第２センサー部２００は単一柱に付着されるスタンドタイプとして提供されることができる。
【００１９】
第１センサー部１００及び第２センサー部２００は超広帯域通信（ＩＲ−ＵＷＢ）センサー、ライダー（Ｌｉｄａｒ）、周波数変調連続波レーダー（ＦＭＣＷ  ＲＡＤＡＲ）及びドップラーレーダー（ＤＯＰＰＬＡＲ  ＲＡＤＡＲ）のいずれか一つであり得る。好ましくは、第１センサー部１００及び第２センサー部２００は超広帯域通信（ＩＲ−ＵＷＢ）センサーであり得る。超広帯域通信（ＵＷＢ）とは５００ＭＨｚ以上の周波数帯域を使うか比帯域幅に定義される数値が２５％以上のラジオ技術を意味する。比帯域幅とは中心周波数に対する信号の帯域幅を意味する。超広帯域通信（ＵＷＢ）は広帯域の周波数を使うラジオ技術であり、高い距離分解能、透過性、狭帯域雑音に対する強い兔疫性、周波数を共有する他の機器との共存性のような多様な利点を有する。一例として、超広帯域通信（ＵＷＢ）は１ｃｍ以下の超精密距離分解能特性において対象体の微細な動きまで検出することができる利点がある。
【００２０】
ＩＲ−ＵＷＢ（Ｉｍｐｕｌｓｅ−Ｒａｄｉｏ  Ｕｌｔｒａ  ＷｉｄｅＢａｎｄ）レーダー（以下、ＵＷＢレーダーという）技術はこのような超広帯域通信（ＵＷＢ）技術をレーダーに繋ぎ合わせたシステムであり、周波数領域での広帯域特性を有する非常に短い持続時間のインパルス信号を送信し、事物や人から反射されて来る信号を受信して周辺の状況を認知するレーダー技術を意味する。ＵＷＢレーダーシステムは、信号生成部で数ナノ乃至数ピコ秒の時間幅を有するインパルス信号を生成し、送信アンテナを介して広角又は狭帯域の角度で放射する。放射された信号は環境での多様な事物や人によって反射され、反射された信号は受信アンテナ及びアナログ−デジタル変換器（ＡＤＣ）を介してデジタル信号に変換されることができる。
【００２１】
第１センサー部１００及び第２センサー部２００のそれぞれは居住者までの最短距離を感知することができる。第１センサー部１００及び第２センサー部２００は、居住者の特定位置を基準に居住者までの最短距離を感知することができる。例えば、特定位置は居住者の頭、胴、脚などの居住者の身体部位の一部を意味することができ、特定位置は第１センサー部１００及び／又は第２センサー部２００から居住者までの最短距離が導出される位置を意味することができる。よって、特定位置は居住者の動きによって実時間で変更される位置を意味することができる。第１センサー部１００から居住者までの第１最短距離と第２センサー部２００から居住者までの第２最短距離は互いに同一であるか異なることができる。第１センサー部１００が感知する居住者の第１特定位置と第２センサー部２００が感知する居住者の第２特定位置は互いに同一であるか異なることができる。一例として、第１特定位置と第２特定位置が互いに異なる場合、制御部３００は第１特定位置と第２特定位置が同一であると仮定することができる。落傷及び起立の行為を判断するための最適の情報は居住者の特定位置の高さであり得る。例えば、居住者が起立した場合には、第１センサー部１００及び第２センサー部２００は居住者の胴体を感知することができる。居住者が起立した場合、居住者の胴体から第１センサー部１００及び第２センサー部２００のそれぞれまでの距離が最短距離であり得る。反対に、居住者が落傷した場合には、居住者が落傷した方向によって居住者の胴、頭、足などの多様な部分が特定位置に定義されることができる。
【００２２】
第１センサー部１００及び第２センサー部２００は居住者の特定位置で発生する生体情報を感知することができる。生体情報は居住者の心拍数、動き又は呼吸の少なくとも一つを含むことができる。第１センサー部１００及び第２センサー部２００は居住者によって反射された信号を受信して居住者の胸又は腹の動きを感知することができ、これにより居住者の心拍数又は呼吸を感知することができる。また、第１センサー部１００及び第２センサー部２００は実時間で反射された信号を受信して居住者の動きを感知することができる。また、第１センサー部１００及び第２センサー部２００は実時間で反射された信号を受信して居住者の大きさ及び形状を感知することができる。よって、第１センサー部１００及び第２センサー部２００は居住者の心拍数、動き又は呼吸などの生体情報を測定して居住者の現在状態を判断することができる。
【００２３】
制御部３００は第１センサー部１００及び第２センサー部２００によって測定された居住者との距離に基づいて居住者の落傷行為及び起立行為を感知することができる。具体的に、制御部３００は第１センサー部１００から居住者の第１特定位置までの距離である第１最短距離と第２センサー部２００から居住者の第２特定位置までの距離である第２最短距離に基づいて居住者の高さを計算することができる。この際、居住者の高さは第１特定位置又は第２特定位置の高さを意味することができ、一般的に第１特定位置と第２特定位置は同じ位置を意味することができる。制御部３００は第１センサー部１００から第２センサー部２００に向かう方向を一軸とする直交座標系を設定することができる。制御部３００は前記座標以外の他の２個の座標は同一であるように前記第１センサー部１００の座標及び第２センサー部２００の座標を設定することができる。すなわち、第１センサー部１００と第２センサー部２００は一軸の座標の他には同じ座標に配置されるものに設定されることができる。よって、第１最短距離と第２最短距離についての情報と第１センサー部１００と第２センサー部２００との間の距離についての情報を組み合わせることにより、制御部３００は居住者の高さを計算することができる。
【００２４】
制御部３００は居住者の高さに基づいて居住者の落傷行為及び起立行為を判断することができる。すなわち。制御部３００は居住者の高さの変化によって居住者が落傷したか起立したかを判断することができる。例えば、居住者の高さが急に増加した場合、制御部３００は居住者が起立したと判断することができ、居住者の高さが急に減少した場合、制御部３００は居住者が落傷したと判断することができる。
【００２５】
制御部３００は、居住者の落傷行為が感知された後、一定時間内に居住者の起立行為があるかに基づいて居住者が危険状態にあるかを判断することができる。制御部３００は第１センサー部１００及び第２センサー部２００が感知した情報に基づいて居住者の状態を判断することができる。
【００２６】
一例として、第１センサー部１００及び第２センサー部２００が居住者の落傷行為を感知した後、一定時間内に居住者の起立行為を感知した場合、制御部３００は居住者の状態が危険状態ではないと判断することができる。落傷行為はあったが居住者が間違いで倒れた場合、居住者は一般的に一定時間内に起立することができる。このような場合、居住者は危険状態ではない。よって、第１センサー部１００及び第２センサー部２００は、居住者の落傷行為が感知された後、一定時間の間に居住者の動きを感知し、制御部３００は一定時間内に居住者が起立すれば居住者の健康に異常がないと判断するようになる。一定時間は設計者によって予め設定された時間を意味することができる。制御部３００は起立行為を判断するための第１起立基準高についての情報を保存しており、居住者の高さが第１起立基準高より高い場合、居住者が起立したと判断することができる。第１起立基準高は居住者の落傷が観測された高さに居住者の上体長に相応する距離を足した値に定義されることができる。例えば、居住者の落傷が観測された高さは２０ｃｍ前後であり得、居住者の上体長に相応する距離は７０ｃｍ〜１ｍを意味することができる。すなわち、第１起立基準高は９０ｃｍ〜１ｍ２０ｃｍであり得る。ただ、第１起立基準高は設計者が自由に変更することができる事項であり得る。
【００２７】
一例として、第１センサー部１００及び第２センサー部２００が居住者の落傷行為を感知した後、一定時間内に居住者の起立行為が感知されない場合、制御部３００は居住者の状態が危険状態であると判断することができる。居住者の健康に異常が発生した場合、居住者は落傷した後に一定時間が経っても起立することができないことがある。よって、制御部３００は、一定時間が経っても居住者の起立する行為が第１センサー部１００及び第２センサー部２００によって感知されない場合、居住者が危険状態にあると判断することができる。
【００２８】
制御部３００は、居住者の落傷行為が感知された後、居住者の動きのパターンを把握して居住者が危険状態にあるかを判断することができる。制御部３００はデータベース部４００に保存された動きパターンと居住者の動きを比較して居住者が危険状態にあるかを判断することができる。
【００２９】
データベース部４００は、室内で第１センサー部１００及び第２センサー部２００が感知する情報を分析するために必要な情報を保存することができる。一例として、データベース部４００は、室内で感知可能な動きのうち居住者の動きではないものを区別するのに使われる情報を含むことができる。制御部３００はデータベース部４００に保存された情報に基づいて第１センサー部１００及び第２センサー部２００が感知した情報を分析することができる。
【００３０】
通信部５００は、制御部３００が居住者が危険状態であると判断した場合、警告メッセージを出力することができる。一例として、通信部５００は警告音を出力して居住者が危険状態であると知らせることができる。他の例として、通信部５００は無線通信方式を用いて室外に位置する端末に警告メッセージを伝送することができる。この際、端末は居住者の保護者が持っている端末であり得、室外に存在する不特定多数の人が持っている端末であり得る。端末が保護者の端末の場合、保護者は居住者の健康に異常が発生したという事実を認知することができる。端末が不特定多数の人が持っている端末の場合、不特定多数の人は室内に位置する居住者の健康に異常が発生したという事実を認知して別途の措置を取ることができる。さらに他の例として、通信部５００は無線通信方式を用いて病院及び応急構造センターに警告メッセージを出力することができる。この際、通信部５００は居住者が居住する所の住所を含む情報を警告メッセージとともに出力することができる。無線通信方式は、ブルートゥース（登録商標）方式、ＲＦ方式及び近距離無線通信（Ｎｅａｒ  Ｆｉｅｌｄ  Ｃｏｍｍｕｎｉｃａｔｉｏｎ；ＮＦＣ）方式などを含むことができる。また、無線通信方式は第１センサー部１００及び第２センサー部２００が居住者の動きを感知するために出力する信号を用いることができる。すなわち、無線通信方式は、超広帯域通信（ＩＲ−ＵＷＢ）センサー、ライダー（Ｌｉｄａｒ）、周波数変調連続波レーダー（ＦＭＣＷ  ＲＡＤＡＲ）及びドップラーレーダー（ＤＯＰＰＬＡＲ  ＲＡＤＡＲ）を介して信号を出力する方式であり得る。
【００３１】
本発明の実施例によれば、落傷及び起立感知装置１は、居住者の落傷行為及び起立行為を感知して居住者の落傷行為を判断することにおいて信頼性を高めることができる。落傷及び起立感知装置１は、居住者の落傷行為の後、一定時間の間に居住者が起立しているかによって居住者の落傷行為を判断して、居住者の健康に異常が発生して落傷したかをより正確に判断することができる。
【００３２】
また、落傷及び起立感知装置１は第１センサー部１００と第２センサー部２００の３軸座標の中で２軸の座標が一致するように設定するので、第１センサー部１００と第２センサー部２００から居住者までの最短距離についての情報と第１センサー部１００と第２センサー部２００との間の距離についての情報のみで居住者の落傷及び起立の行為を感知することができる。
【００３３】
また、落傷及び起立感知装置１は、居住者が落傷したと判断した場合、警告メッセージを自動で出力するので、警告メッセージを受信した人は健康に異常が発生した居住者に２次的に発生し得る事故に備えることができる。
【００３４】
図３は図２のデータベース部を示すブロック図である。
【００３５】
図２及び図３を参照すると、データベース部４００は、第１保存部４１０及び第２保存部４３０を含むことができる。データベース部４００は、第１センサー部１００及び第２センサー部２００を介して獲得した各種の情報を用いて、制御部３００が居住者の落傷行為を正確に分析するのに使われる情報を保存することができる。
【００３６】
第１保存部４１０は室内で発生し得る反復的な動きについての情報を保存することができる。反復的な動きとは一定の周期で動くことを意味することができる。例えば、反復的な動きは扇風機のファン（ｆａｎ）の回転、時計の秒針の動きなどを含むことができる。制御部３００は第１センサー部１００及び第２センサー部２００が感知した物体の動きについての情報のうちデータベース部４００に保存された反復的な動きについての情報と同一の情報は居住者の動き又は居住者の生体情報ではないと判断することができる。すなわち、制御部３００は第１センサー部１００及び第２センサー部２００が測定した多様な情報のうち居住者の動き及び居住者の生体情報のみで居住者が危険状態にあるかを分析することができる。
【００３７】
第２保存部４３０はマシンラーニングを介して獲得した人の大きさ、形状などについての第１情報、人の心拍数、呼吸、及び動きについての第２情報及び人の動きについての行動パターン情報を保存することができる。第１センサー部１００及び第２センサー部２００は第２保存部４３０に保存された第１情報に基づいて居住者の大きさ及び居住者の頭部を感知することができる。すなわち、第１センサー部１００及び第２センサー部２００は感知した信号の中でどの部分が居住者の頭部に相当する信号であるかを第１情報に基づいて判断することができる。制御部３００は第１センサー部１００及び第２センサー部２００の感知した信号が人の心拍数を感知したか、人の呼吸を感知したか、又は人の動きを感知したかを第２情報と比較することによって把握することができる。制御部３００は第１センサー部１００及び第２センサー部２００が感知した居住者の動きに対するパターンを行動パターン情報と比較して居住者の状態を判断することができる。例えば、行動パターン情報は人が運動中に遂行する動き、人が急に倒れる落傷行為、人が倒れた後に取ることができる動きなどの多様な情報を含むことができる。よって、制御部３００は行動パターン情報と第１センサー部１００及び第２センサー部２００が感知した信号をマッチングさせて居住者が現在取っている動きが意味することを把握することができる。
【００３８】
本発明の実施例によれば、落傷及び起立感知装置１は第１センサー部１００及び第２センサー部２００を一緒に使用して居住者の状態を明確に把握することができ、データベース部４００に保存された情報と第１センサー部１００及び第２センサー部２００を介して感知された信号を比較して居住者が現在取っている動きが意味することを明確に把握することができる。
【００３９】
図４は本発明の実施例による第１センサー部及び第２センサー部が直交座標系を基準に配置される位置を説明する図である。図４は居住者が落傷した後に床に横になっている場合を説明するための図である。図４はＸ軸、Ｙ軸及びＺ軸からなる３次元直交座標系に第１センサー部と第２センサー部が配置されたものを示し、Ｘ軸、Ｙ軸及びＺ軸は互いに直交することができる。
【００４０】
図２及び図４を参照すると、第１センサー部１００は第１高さに配置されることができ、第１高さの座標は（ｘ１、ｙ１、ｚ１）であり得る。第２センサー部２００は第２高さに配置されることができ、第２高さの座標は（ｘ１、ｙ１、ｚ１＋ｄ）であり得る。制御部３００は第１センサー部１００と第２センサー部２００のＸ軸とＹ軸の座標が一致するように直交座標系を設定することができる。第１センサー部１００と第２センサー部２００は居住者１０が居住する室内の床に基づいて垂直に重畳するので、制御部３００は第１センサー部１００から第２センサー部２００に向かう方向をＺ軸として直交座標系を設定することができる。この際、第１センサー部１００と第２センサー部２００との間の距離はｄに定義されることができる。例えば、距離ｄは１ｍであり得る。
【００４１】
第１センサー部１００及び第２センサー部２００のそれぞれは居住者１０の特定位置１１までの最短距離を測定することができる。特定位置１１の座標は（ｘ２、ｙ２、ｚ２）であり得る。本実施例では、居住者１０の頭が特定位置１１に定義されることができる。第１センサー部１００が感知する特定位置と第２センサー部２００が感知する特定位置は互いに異なることもできるが、制御部３００は第１センサー部１００が感知する特定位置と第２センサー部２００が感知する特定位置が互いに同一であると仮定して特定位置１１の高さを計算することができる。第１センサー部１００が測定した第１最短距離はＲ１に定義されることができ、第２センサー部２００が測定した第２最短距離はＲ２に定義されることができる。制御部３００は第１及び第２最短距離、第１センサー部１００と第２センサー部２００との間の距離ｄに基づいて居住者１０の高さｚ２を計算することができる。制御部３００が居住者１０の高さｚ２を計算する数式は次の通りである。
【００４２】
【数１】
2020194537.tif 000003
【００４３】
ここで、ｚ１は第１センサー部１００が配置される高さを意味し、ｄは第１センサー部１００と第２センサー部２００との間の距離を意味するので、ｚ１とｄは定数値であり得る。また、Ｒ１とＲ２は第１センサー部１００と第２センサー部２００によって測定された値であるので、ｚ２の値を求めることができる。すなわち、制御部３００は居住者１０の高さｚ２を計算することができる。
【００４４】
制御部３００は居住者１０の高さｚ２、第１最短距離Ｒ１、第２最短距離Ｒ２、第１センサー部１００及び第２センサー部２００の座標に基づいて居住者１０とＺ軸との間の距離を計算することができる。居住者１０とＺ軸との間の距離は居住者１０がベッドから離脱したかを確認することができるパラメーターであり得る。居住者１０とＺ軸との間の距離を用いて居住者１０のベッド離脱有無を判断する制御部３００の一機能は後述する。
【００４５】
制御部３００は居住者１０の高さｚ２に基づいて居住者１０の落傷及び起立の行為を判断することができる。居住者１０の高さｚ２が床を基準に一定範囲内の値の場合、制御部３００は居住者１０が落傷したと判断することができる。居住者１０が落傷した後、一定時間の間に居住者１０の起立行為がない場合、制御部３００は居住者１０が危険状態にあると判断することができる。
【００４６】
図５(ａ)及び図５(ｂ)は本発明の実施例による落傷及び起立感知装置が居住者の落傷及び起立を感知することを示す図である。図５(ａ)は居住者が落傷する場合、落傷及び起立感知装置が居住者を感知することを示す図、図５(ｂ)は居住者が落傷した後、床に倒れている状態を落傷及び起立感知装置が感知することを示す図である。
【００４７】
図２及び図５(ａ)を参照すると、第１センサー部１００及び第２センサー部２００は居住者１０の高さが変化することを実時間で感知することができる。第１センサー部１００及び第２センサー部２００は居住者１０の特定位置１１が実時間で変化することを感知することができる。制御部３００は居住者１０の高さが床と一定範囲以上の差がある場合に居住者１０が立っている状態であると判断することができる。制御部３００はデータベース部４００に保存された行動パターン情報と第１センサー部１００及び第２センサー部２００が感知した居住者１０の動きをマッチングさせることにより居住者１０が落傷することであるかを明確に把握することができる。また、制御部３００は落傷した後の居住者１０の動きパターンとデータベース部４００に保存された行動パターン情報を比較して居住者１０が落傷したかを把握することができる。
【００４８】
図２及び図５(ｂ)を参照すると、制御部３００は居住者１０の高さが床と一定範囲内の差がある場合に居住者１０が落傷して床に横になっていると判断することができる。居住者１０が落傷する行為を感知した後、第１センサー部１００及び第２センサー部２００は居住者１０の特定位置１１を感知することができる。第１センサー部１００及び第２センサー部２００は居住者１０の特定位置１１までの第１最短距離及び第２最短距離を測定することができ、制御部３００は第１最短距離及び第２最短距離に基づいて居住者１０の高さを計算することができる。ここで、第１センサー部１００及び第２センサー部２００は居住者１０の特定位置１１で発生する生体信号を感知することができる。居住者１０が落傷したものではなくて物体が床に落ちた場合、制御部３００は居住者１０が落傷したと判断することができる。しかし、物体では生体信号が発生しないから、制御部３００は居住者１０が落傷したものではなくて物体が落ちたと判断することができる。
【００４９】
第１センサー部１００及び第２センサー部２００は室内の床に倒れている居住者１０の動きを測定することができ、制御部３００は第１センサー部１００及び第２センサー部２００が感知した情報とデータベース部４００に保存された行動パターン情報に基づいて居住者１０の状態を判断することができる。例えば、制御部３００は居住者１０が倒れた後に取ることができる動きなどの多様な情報を含む行動パターン情報に基づいて居住者１０が意図的に床に横になったことであるか居住者１０が健康に異常が発生して落傷したことであるかを判断することができる。一般に、健康に異常が発生して居住者１０が落傷した場合、居住者１０は落傷した後に急激な位置変化及び速い速度で動く行為ができない。このような居住者１０の動きについての情報がデータベース部４００に保存されているので、制御部３００は落傷後の居住者１０の状態を判断することができる。制御部３００は、居住者１０が危険状態にあると判断した場合、通信部５００を制御して警告メッセージを出力することができる。
【００５０】
制御部３００は居住者１０の高さを実時間で計算して居住者１０が床に横になっているか起立するかを判断することができる。制御部３００は居住者１０が落傷した後、一定時間の間に起立しない場合、居住者１０の状態が危険状態であると判断することができる。制御部３００は、居住者１０が落傷した後に一定時間内に起立する場合、居住者１０の状態が危険状態ではないと判断することができる。
【００５１】
図６は本発明の実施例によって居住者の特定位置で生体信号を感知することを示す図である。
【００５２】
図２及び図６を参照すると、第１センサー部１００及び第２センサー部２００は床に横になっている居住者１０の特定位置１１を感知することができる。特定位置１１は居住者１０の動きによって変わることができ、本実施例で、特定位置１１は居住者１０の足を意味することができる。第１センサー部１００及び第２センサー部２００は居住者１０の特定位置１１で発生する生体信号を感知することができる。ただ、本実施例で、特定位置１１は居住者１０の足であり、人の足では生体信号が発生しない。この際、制御部３００は居住者１０の特定位置１１を変更するように第１センサー部１００及び第２センサー部２００を制御することができる。言い換えれば、制御部３００は第１センサー部１００及び第２センサー部２００が居住者１０の足ではない他の身体部位を感知するように制御することができる。制御部３００は既存の特定位置１１を基準に一定範囲内の領域で発生する生体信号を感知するように第１センサー部１００及び第２センサー部２００の感知領域を変更させることができる。一例として、制御部３００は既存の特定位置１１を基準に第１センサー部１００及び第２センサー部２００の感知領域を変更させながら生体信号が感知される新しい特定位置１２を探索することができる。例えば、新しい特定位置１２は居住者１０の胴になることができ、第１センサー部１００及び第２センサー部２００は居住者１０の胴から心臓拍動数及び胸の動きなどを含む生体信号を感知することができる。
【００５３】
変更された特定位置１２である新しい特定位置１２で生体信号が感知される場合、制御部３００は新しい特定位置１２を基準に居住者１０の高さを計算することができる。制御部３００は新しく計算された居住者１０の高さに基づいて居住者１０の落傷行為及び起立行為を判断することができる。
【００５４】
本発明の実施例によれば、第１センサー部１００及び第２センサー部２００が感知した居住者１０の特定位置１１から生体信号が感知されない場合、制御部３００は第１センサー部１００及び第２センサー部２００の感知領域を変更させて新しい特定位置１２を探索することができる。すなわち、本発明の実施例による落傷及び起立感知装置１は居住者１０の落傷及び起立の行為以外にも居住者１０の生体信号を感知して居住者１０の状態を把握することができる。また、落傷及び起立感知装置１は居住者１０の高さ変化を判断するために特定位置１１を感知することができ、生体信号を感知するために既存の特定位置１１から新しい特定位置１２に感知領域を変更させることができる。これにより、居住者の高さ変化を感知しながら居住者の生体信号を感知することにおいて信頼性を高めることができる。
【００５５】
図７は本発明の実施例によって居住者がベッドを離脱するかを感知することを示す図である。
【００５６】
図２及び図７を参照すると、居住者１０が居住する室内空間にベッド５０が配置されることができる。居住者１０がベッド５０に横になった後に起立しない場合、落傷及び起立感知装置１は居住者１０が危険状態にあると見誤ることができる。よって、居住者１０がベッド５０に横になったことを制御部３００が認知するためのロジッグが必要である。このために、制御部３００は第１センサー部１００及び第２センサー部２００が配置された軸からベッド５０が離隔した離隔距離Ｄ１及びベッドの高さＨについての情報を予め保存することができる。
【００５７】
一例として、制御部３００は離隔距離Ｄ１についての情報に基づいて離隔距離Ｄ１から一定範囲内で発生する居住者１０の動きの変化は落傷行為と判断しないことができる。居住者１０は第１センサー部１００及び第２センサー部２００から離隔距離Ｄ１で離隔したベッド５０に横になることができ、制御部３００は居住者１０がベッド５０に横になる行為を落傷行為と判断しないことができる。
【００５８】
一例として、第１センサー部１００及び第２センサー部２００が感知した居住者１０の位置がベッド５０の高さＨと誤差範囲内の場合、制御部３００は居住者１０がベッド５０に位置すると判断することができる。この際、制御部３００は居住者１０が危険状態ではないと判断することができる。一般に、ベッド５０の上面は床から６０ｃｍ〜１ｍの高さを有することができる。制御部３００は第１センサー部１００及び第２センサー部２００が感知した居住者１０の位置が既設定のベッド５０の高さＨと誤差範囲内であると判断した場合には、居住者１０がベッド５０に横になったものであり、落傷したものではないと判断することができる。また、制御部３００はベッド５０と第１センサー部１００及び第２センサー部２００との間の離隔距離Ｄ１に基づいて居住者１０がベッド５０に横になったかを判断することができる。
【００５９】
一例として、制御部３００はベッド５０の高さＨ及び離隔距離Ｄ１を用いて居住者１０の位置がベッド５０を基準に誤差範囲以上に外れたかを判断することができる。重症患者の場合、ベッド５０から離脱すれば危なくなることができる。よって、制御部３００は居住者１０がベッド５０から離脱するかを判断することができる。通信部５００は居住者１０の位置情報を外部に知らせることができる。居住者１０の位置がベッド５０を基準に誤差範囲以上に外れる場合、通信部５００は居住者１０がベッド５０を離脱したことを知らせる信号を出力することができる。このようなロジッグは居住者１０が重症患者であるか又は病院で落傷及び起立感知装置１が使われる場合に適用することができる。
【００６０】
制御部３００はベッド５０の高さに基づいて第２起立基準高を設定することができる。第２起立基準高とはベッド５０に横になっていた居住者１０が起立したと判断するための高さを意味することができる。居住者１０が床に横になってから起立するときと居住者１０がベッド５０に横になってから起立するときの居住者１０の高さは互いに異なることができる。例えば、居住者１０が床に横になったとき、制御部３００は居住者１０の高さが２０ｃｍ前後であると判断し、居住者１０がベッド５０に横になったとき、制御部３００は居住者１０の高さがベッド５０の高さ（６０ｃｍ〜１ｍ）とほぼ同一であると判断することができる。よって、制御部３００は、居住者１０がベッド５０に横になったと判断した場合の居住者１０の第２起立基準高を居住者１０が床に横になったと判断した場合の居住者１０の第１起立基準高と異なるように設定することができる。例えば、居住者１０がベッド５０に横になったと判断した場合、居住者１０の第２起立基準高はベッド５０の高さＨに居住者１０の上体に相応する距離を足した値に定義されることができる。例えば、ベッド５０の高さは６０ｃｍ〜１ｍ前後であり得、居住者の上体長に相応する距離は７０ｃｍ〜１ｍを意味することができる。すなわち、第２起立基準高は１ｍ３０ｃｍ〜２ｍで、第１起立基準高より大きい値であり得る。ただ、第２起立基準高は設計者が自由に変更することができる事項であり得る。
【００６１】
第１センサー部１００及び第２センサー部２００は居住者１０の起立行為の後に動きパターンを感知することができ、制御部３００は居住者１０の動きパターンをデータベース部４００に保存された情報と比較して居住者１０の状態を把握することができる。例えば、起立した後に居住者１０が目眩がしてふらつくときに、制御部３００は居住者１０の動きの分散値が一定値以上であると判断した場合には居住者１０が危険状態であると判断することができる。居住者１０がベッド５０を離脱して第１センサー部１００及び第２センサー部２００の感知領域を離脱した後には落傷することがあり得る。よって、制御部３００は居住者１０の動きパターンを分析して落傷の危険があると判断される場合、通信部５００を制御してアラームを発生させることができる。
【００６２】
居住者１０がベッド５０を離脱するかベッド５０から起立した後の動きパターンが不安定な場合、制御部３００は居住者１０が危険状態であると判断することができる。この際、居住者１０がベッド５０に横になった後に居住者１０の起立行為を感知することを先に行い、その後に制御部３００はベッド５０を離脱するか及び居住者１０の動きパターンを分析することができる。落傷及び起立感知装置１はベッド５０に居住者１０が横になる行為を落傷行為と判断することができるが、ベッド５０の高さＨ及びベッド５０とセンサー部１００、２００との間の離隔距離Ｄ１に基づいて居住者１０がベッド５０に横になったと判断することができる。さらに、落傷及び起立感知装置１は居住者１０がベッド５０に横になった後に起立する行為を感知することができ、起立後に居住者１０が危険状態にあるかを判断することができる。
【００６３】
本発明の実施例によれば、落傷及び起立感知装置１は室内空間に配置されるベッド５０に横になった居住者１０を居住者１０が落傷したと見誤ることを防止するロジッグを備えることができる。また、落傷及び起立感知装置１はベッド５０の位置及び高さについての情報を予め保存することにより、ベッド５０に居住者１０が横になる行為及びベッド５０から居住者１０が起立する行為を把握することができる。また、落傷及び起立感知装置１はベッド５０から居住者１０が離脱するかを把握することにより、重症患者で発生する事故を前もって防止することができる。
【００６４】
図８は本発明の実施例によって居住者がベッドに横になっているかを感知することを示す図である。
【００６５】
図２及び図８を参照すると、第１センサー部１００は居住者１０が位置するベッド５０上に配置されることができる。第１センサー部１００は居住者１０がベッド５０を離脱するかを判断するための感知領域１５０を有することができる。第１センサー部１００の感知領域１５０はベッド５０に横になっている居住者１０の生体信号を感知することができる領域であり得る。第１センサー部１００は感知領域１５０内に位置する居住者１０の特定位置１１を感知し、特定位置１１で発生する生体信号を感知することができる。
【００６６】
制御部３００は、居住者１０が感知領域１５０内に存在する場合、居住者１０は危険状態にいないと判断することができる。通信部５００は、居住者１０が感知領域１５０内に存在する場合、アラームを発生させないことができる。
【００６７】
一例として、ベッド５０の高さＨが低い場合、ベッド５０に横になっている居住者１０の生体信号は室内空間の床付近で感知されることができる。居住者１０の生体信号が室内空間の床付近で感知されれば、制御部３００はベッド５０に居住者１０が横になっていても居住者１０が落傷して床に倒れた状態と見誤ることができる。よって、第１センサー部１００の感知領域１５０内に居住者１０が位置する場合、制御部３００は居住者１０がベッド５０に横になっているものであり、落傷したものではないと判断することができる。例えば、感知領域１５０は室内空間の床まで及ばないことができ、高さの低いベッド５０の上面まで及ぶことができる。すなわち、感知領域１５０は予め保存されたベッド５０の高さを考慮して決定されることができる。
【００６８】
以上、添付図面に基づいて本発明の実施例を説明したが、本発明が属する技術分野で通常の知識を有する者は本発明がその技術的思想又は必須な特徴を変更せずに他の具体的な形態に実施できるということが理解可能である。したがって、以上で記述した実施例は全ての面で例示的なものであり、限定的なものではないと理解しなければならない。
【符号の説明】
【００６９】
１    落傷及び起立感知装置
１０    居住者
１１、１２    特定位置
５０    ベッド
１００    第１センサー部
１５０    感知領域
２００    第２センサー部
３００    制御部
４００    データベース部
４１０    第１保存部
４３０    第２保存部
５００    通信部
【図１】
2020194537.tif 000004
【図２】
2020194537.tif 000005
【図３】
2020194537.tif 000006
【図４】
2020194537.tif 000007
【図５】
2020194537.tif 000008
【図６】
2020194537.tif 000009
【図７】
2020194537.tif 000010
【図８】
2020194537.tif 000011